(57)【特許請求の範囲】
【請求項１】
受信信号に基づいて希望波信号電力と干渉波信号電力との信号電力比を求め、この信号電力比と目標電力比とに応じて送信電力の増加及び低減のうちいずれか一方を基地局に指示する無線通信機の送信電力指示方法であって、
前記受信信号を復調して得られたデータブロックの目標誤り率を、前記基地局からの指示として受ける第１のステップ（４００）と、
前記目標誤り率から定まる母数未満の前記データブロックが受信されるように選択された所定期間毎に前記データブロックの受信数および受信したデータブロックのうちエラーを生じているデータブロックの数であるエラー数を求めるとともに、前記所定期間毎の受信数を累積した累積受信数および所定期間毎のエラー数を累積した累積エラー数を求める第２のステップ（２２０）と、
前記第２のステップにて前記受信数および前記エラー数の累積を行った後、前記累積受信数と前記目標誤り率とから定まる値と比べて、前記累積エラー数の方が大きいか否かを判定する第３のステップ（２４０）と、
前記第３のステップにて前記累積エラー数の方が大きいと判定されたとき、前記送信電力を増加させるように前記目標電力比を更新するとともに、前記第２のステップによる前記受信数および前記エラー数の累積を新たな前記所定期間から開始させる第４のステップ（２５０、２６０）と、
前記目標誤り率から定まる母数より大きい所定数以上のデータブロックを受信したか否かを判定する第５のステップ（２７０）と、
前記第５のステップにて前記所定数以上のデータブロックを受信したことを判定し、かつ測定誤り率が前記目標誤り率より小さい関係にあることを判定すると、前記送信電力を低減させるように前記目標電力比を更新するとともに、前記第２のステップによる前記受信数および前記エラー数の累積を新たな前記所定期間から開始させる第６のステップ（２８０〜３１０）とを有することを特徴とする無線通信機の送信電力指示方法。
【請求項２】
前記第４のステップは、前記目標電力比を一定レベルだけあげるように前記目標電力比を更新することを特徴とする請求項１に記載の無線通信機の送信電力指示方法。
【請求項３】
前記第６のステップは、前記測定誤り率と前記目標誤り率との差に応じた値だけ前記目標電力比を下げるように前記目標電力比を更新することを特徴とする請求項１または２に記載の無線通信機の送信電力指示方法。
【請求項４】
前記第５のステップは、前記累積受信数と前記目標誤り率とから定まる値が前記所定数に相当する値以上であるか否かにより、前記目標誤り率から定まる母数より大きい所定数以上のデータブロックを受信したか否かを判定することを特徴とする請求項１ないし３のいずれか１つに記載の無線通信機の送信電力指示方法。
【発明の詳細な説明】
【０００１】
【発明の属する技術分野】
本発明は、受信信号に基づいて希望波信号電力と干渉波信号電力との信号電力比を求め、この信号電力比と目標電力比とに応じて送信電力の増加及び低減のうちいずれか一方を基地局に指示する無線通信機の送信電力指示方法に関する。
【０００２】
【従来の技術】
従来、３ＧＰＰ・Ｗ−ＣＤＭＡシステムにおいては、基地局から移動局への送信信号（下りの送信信号）の物理チャネルは、図６に示すように、個別物理制御チャネル（ＤＬ  ＤＰＣＣＨ：Ｄｅｄｉｃａｔｅｄ  Ｐｈｙｓｉｃａｌ  Ｃｏｎｔｒｏｌ  Ｃｈａｎｎｅｌ）と、個別物理データチャネル（ＤＬ  ＤＰＤＣＨ：Ｄｅｄｉｃａｔｅｄ  Ｐｈｙｓｉｃａｌ  Ｄａｔａ  Ｃｈａｎｎｅｌ）とから構成されている。一方、移動局から基地局への送信信号（上りの送信信号）の物理チャネルは、個別物理制御チャネル（ＵＬ  ＤＰＣＣＨ）と、個別物理データチャネル（ＵＬ  ＤＰＤＣＨ）とから構成されている。
【０００３】
ここで、下りの個別物理制御チャネル（ＤＬ  ＤＰＣＣＨ）としては、図７に示すように、パイロットシンボル（ＰＩＬＯＴ）、ＴＰＣデータ、データ（Ｄａｔａ１）等を時分割多重されて構成されている一方、上りの個別物理制御チャネル（ＵＬ  ＤＰＣＣＨ）としては、パイロットシンボル（ＰＩＬＯＴ）、ＴＰＣデータ、データ（Ｄａｔａ１）等を時分割多重されて構成されている。
【０００４】
また、基地局及び移動局の間の送信電力制御として、インナーループ電力制御が採用されており、インナーループ電力制御において、基地局は、移動局からの個別物理制御チャネル中のＴＰＣデータの制御情報に基づいて、下りの個別物理制御チャネルの送信電力制御を行う。一方、移動局は、基地局からの個別物理制御チャネル中のＴＰＣデータの制御情報に基づいて、上りの個別物理制御チャネルの送信電力制御を行う。
【０００５】
以下、インナーループ電力制御について述べると、移動局は、基地局から送信された個別物理制御チャネルのパイロットシンボルを逆拡散し最大比合成して合成信号を求め、この合成信号に基づいてＳＩＲ（Ｓｉｇｎａｌ−ｉｎｔｅｒｆｅｒｅｎｃｅ−Ｒａｔｉｏ）を測定する。この測定されたＳＩＲ（以下、測定ＳＩＲという）を目標ＳＩＲ（ｔａｒｇｅｔ  ＳＩＲ）に対して評価してこの評価に基づいて上りの個別物理制御チャネルのＴＰＣデータに制御情報を設定する。
【０００６】
例えば、移動局において、目標ＳＩＲに比べて、測定ＳＩＲの方が大きいとき（目標値＜測定ＳＩＲ）、ＴＰＣデータをリセット（ＴＰＣビット＝０）し、基地局は、下りの個別物理制御チャネルの送信電力を下げる。これにより、移動局において、回線品質（伝送品質）が目標値に比べて大きいとき、下りの個別物理制御チャネルの送信電力を下げるように基地局に指示することになる。
【０００７】
一方、移動局において、測定ＳＩＲに比べて目標値の方が大きいとき（目標値＞測定ＳＩＲ）、ＴＰＣデータをセット（ＴＰＣビット＝１）して、基地局は、下りの個別物理制御チャネルの送信電力を上げる。これにより、移動局において、回線品質（伝送品質）が目標値に未到達であるとき、下りの個別物理制御チャネルの送信電力を上げるように基地局に指示することになる。
【０００８】
このように、インナーループ電力制御では、測定ＳＩＲが目標値（ｔａｒｇｅｔ  ＳＩＲ）に近づくようにすることにより、回線品質と送信電力とが適正に保たれる。なお、インナーループ電力制御では、ＳＩＲにより無線レベルで回線品質を制御するもので、この無線レベルの回線品質は、データレベルでの回線品質、データの信頼性とは異なる。
【０００９】
ここで、上述した測定ＳＩＲの目標値は、以下に述べる移動局のアウタループ電力制御にて決められる。このアウタループ電力制御は、インナーループ電力制御で無線の回線品質が保たれている状態で、複数の受信データブロックを用いて行われる。この受信データブロックは、個別物理データチャネル（ＵＬ  ＤＰＤＣＨ）に基づいてチャネルコーディング処理されたもので、複数個の情報ビットと複数のＣＲＣビット（誤り検査ビット）とから構成されている。
【００１０】
先ず、アウタループ電力制御では、複数の受信データブロックのうち、エラー（ＣＲＣエラー）を生じているデータブロック（以下、エラーブロックという）の数が測定されるとともに、この測定されたエラーブロックの数に対する受信データブロックの数の測定誤り率：ＢＬＥＲ（Ｂｌｏｃｋ  Ｅｒｒｏｒ  Ｒａｔｅ）が測定される。この測定誤り率：ＢＬＥＲは、｛（エラーブロックの数）／受信データブロックの数｝を示す。
【００１１】
次に、上記測定された測定誤り率：ＢＬＥＲをその目標誤り率（ｔａｒｇｅｔＢＬＥＲ）に対して評価してこの評価に基づいて、目標ＳＩＲを更新する。ここで、目標誤り率は、移動局が基地局から報知信号で指示されて、測定誤り率の方が目標誤り率に比べて大きいとき、（測定誤り率＞目標誤り率）、目標値ＳＩＲを大きくするように更新する。一方、測定誤り率の方に比べて目標誤り率の方が大きいとき（測定誤り率＜目標誤り率）、目標値ＳＩＲを小さくするように更新する。このように、ＳＩＲの目標値を更新することにより、無線レベルでの回線品質が制御されることにより、データレベルの回線品質が制御される。
【００１２】
【発明が解決しようとする課題】
ところで、上述した３ＧＰＰ・Ｗ−ＣＤＭＡシステムにおいて、目標誤り率としては、図８に示すように規定されており、例えば、目標誤り率（ｔａｒｇｅｔＢＬＥＲ）として「１／１０７１５」｛＝「−４．０３０」｝が基地局から指示されたとき、目標ＳＩＲを更新するには、最低でも１０７１５個のデータブロックを受信する必要がある。こののため、１０７１５個のデータブロックを受信する期間にて、アウタループ電力制御が停止されると、アウタループ電力制御の停止期間中にて、回線品質が劣化し通信が切断する場合も考えられる。
【００１３】
本発明は、上記点に鑑み、短期間で目標電力比を更新できる無線通信機の送信電力指示方法を提供することを目的とする。
【００１４】
【課題を解決するための手段】
本発明は、上記目的を達成するために、請求項１に記載の発明では、受信信号に基づいて希望波信号電力と干渉波信号電力との信号電力比を求め、この信号電力比と目標電力比とに応じて送信電力の増加及び低減のうちいずれか一方を基地局に指示する無線通信機の送信電力指示方法であって、受信信号を復調して得られたデータブロックの目標誤り率を、基地局からの指示として受ける第１のステップ（４００）と、目標誤り率から定まる母数未満のデータブロックが受信されるように選択された所定期間毎にデータブロックの受信数および受信したデータブロックのうちエラーを生じているデータブロックの数であるエラー数を求めるとともに、所定期間毎の受信数を累積した累積受信数および所定期間毎のエラー数を累積した累積エラー数を求める第２のステップ（２２０）と、第２のステップにて受信数およびエラー数の累積を行った後、累積受信数と目標誤り率とから定まる値と比べて、累積エラー数の方が大きいか否かを判定する第３のステップ（２４０）と、第３のステップにて累積エラー数の方が大きいと判定されたとき、送信電力を増加させるように目標電力比を更新するとともに、第２のステップによる受信数およびエラー数の累積を新たな所定期間から開始させる第４のステップ（２５０、２６０）と、目標誤り率から定まる母数より大きい所定数以上のデータブロックを受信したか否かを判定する第５のステップ（２７０）と、第５のステップにて所定数以上のデータブロックを受信したことを判定し、かつ測定誤り率が目標誤り率より小さい関係にあることを判定すると、送信電力を低減させるように目標電力比を更新するとともに、第２のステップによる受信数およびエラー数の累積を新たな所定期間から開始させる第６のステップ（２８０〜３１０）とを有することを特徴とする。
【００１５】
このように、データブロックを目標誤り率から定まる母数分受信することに先だち、累積エラー数が、累積受信数と目標誤り率とから定まる値より大きいときに、送信電力を増加させるように目標電力比を更新することができ、また目標誤り率から定まる母数より大きい所定数以上のデータブロックを受信し、かつ測定誤り率が目標誤り率より小さい関係にあるときに、送信電力を低減させるように目標電力比を更新しているから、信頼性の高い判定に基づいて送信電力を低減させるように目標電力比を更新することができる。
【００１６】
なお、請求項２に記載の発明のように、第４のステップは、目標電力比を一定レベルだけあげるように目標電力比を更新するようにしてもよく、請求項３に記載の発明のように、第６のステップは、測定誤り率と目標誤り率との差に応じた値だけ目標電力比を下げるように目標電力比を更新するようにしてもよい。また、請求項４に記載の発明のように、第５のステップは、累積受信数と目標誤り率とから定まる値が所定数に相当する値以上であるか否かにより、目標誤り率から定まる母数より大きい所定数以上のデータブロックを受信したか否かを判定するようにしてもよい。
【００２０】
因みに、上記各手段の括弧内の符号は、後述する実施形態に記載の具体的手段との対応関係を示す一例である。
【００２１】
【発明の実施の形態】
図１に本発明に係るＷ−ＣＤＭＡの移動局の一実施形態を示す。図１は、移動局の電気回路構成を示すブロック図である。なお、基地局において、下りの個別物理制御チャネルと下りの個別物理データチャネルとを時分割多重し、この多重信号を、スペクトル拡散されたものを送信信号として移動局に送信する。基地局でのスペクトル拡散にあたっては、スクランブルコード及びチャネライゼイションコードといった拡散コードが採用されている。また、移動局としては、携帯電話（無線通信装置）が採用されている。
【００２２】
先ず、移動局は、受信アンテナ１０、受信系ＲＦ部２０、ＲＡＫＥ受信器３０、デモジュレータ４０、デインターリーブ４１、レートマッチング４２、チャネルコーディング４３、ＢＬＥＲ測定部４４、アウターループ送信電力制御部５０、ＳＩＲ評価部６０、エンコード７１、レートマッチング７２、インターリーブ７３、チャネルコーディング７４、ＤＰＣＣＨ設定部８０、拡散部９０、送信系ＲＦ部１００、及び、送信アンテナ１１０から構成されている。
【００２３】
受信アンテナ１０は、基地局からの送信された信号Ｒｘを電波を媒体として受信し、受信系ＲＦ部２０は、受信アンテナ１０の受信信号Ｒｘを直交検波して検波信号の実部、虚部を出力する。ＲＡＫＥ受信器３０は、検波信号の実部、虚部に応じて合成信号を求める。具体的には、ＲＡＫＥ受信器３０は、符号発生器３１、相関器３２〜３４、及び、合成器３５を有する。符号発生器３１は、相関器３２〜３５のそれぞれに、スクランブルコード及びチャネライゼイションコードを出力する。相関器３２〜３４は、受信パス毎に、検波信号の実部、虚部とスクランブルコードとの第１の相関値を求め、この第１の相関値とチャネライゼイションコードとの第２の相関値を出力する。
【００２４】
例えば、相関器３２は、第１の受信パス分の検波信号の実部、虚部とスクランブルコードとの第１の相関値を求め、この第１の相関値とチャネライゼイションコードとの第２の相関値を出力する。相関器３３は、第２の受信パス分の検波信号の実部、虚部とスクランブルコードとの第１の相関値を求め、この第１の相関値とチャネライゼイションコードとの第２の相関値を出力する。相関器３４は、第３の受信パス分の検波信号の実部、虚部とスクランブルコードとの第１の相関値を求め、この第１の相関値とチャネライゼイションコードとの第２の相関値を出力する。
【００２５】
なお、スクランブルコードは、Ｓｃｒａｍｂｌｉｎｇ  ｃｏｄｅを示し、チャネライゼイションコードは、Ｃｈａｎｎｅｌｉｚａｔｉｏｎ  ｃｏｄｅを示す。
【００２６】
合成器３５は、相関器３２〜３４の各々からの第２の相関値を最大比合成し合成信号を出力する。ここで、上述の如く、基地局からの送信信号は、下りの個別物理制御チャネル（ＤＰＣＣＨ）と下りの個別物理データチャネル（ＤＰＤＣＨ）とを時分割多重されたものであるため、合成器３５で、上記合成信号を個別物理制御チャネルと個別物理データチャネルとに分離して出力する。このように、個別物理制御チャネルは、個別物理データチャネルとともに、受信信号を復調して得られ得る。
【００２７】
デモジュレータ４０は、合成器３５からの個別物理データチャネルの実部、虚部の双方をシリアルのビットデータに変換する。デインターリーブ４１は、デモジュレータ４０の出力データをデインターリーブ処理し、レートマッチング４２は、デインターリーブ処理されたデータをレートマッチング処理する。チャネルコーディング４３は、レートマッチング処理されたデータをコーディング処理して受信データブロック（トランスポートブロック）を出力する。
【００２８】
ＢＬＥＲ測定部４４は、複数の受信データブロックのうちのエラーブロックの数を測定するとともに、測定誤り率：ＢＬＥＲを測定する。アウターループ送信電力制御部５０は、測定誤り率：ＢＬＥＲと目標誤り率（ｔａｒｇｅｔ  ＢＬＥＲ）とを比較してその比較に応じて目標ＳＩＲを更新する。
【００２９】
ここで、目標誤り率は、基地局から報知信号で通知されたもので、アウターループ送信電力制御部５０においては、目標ＳＩＲの初期値が目標誤り率に対応付けて記憶されており、目標誤り率が基地局から通知されると、この通知された目標誤り率に対応する目標ＳＩＲの初期値をＳＩＲ評価部６０に出力する。
【００３０】
ＳＩＲ評価部６０は、下り個別物理制御チャネル中のパイロットシンボル（図７中、ＰＩＬＯＴにて示す）に応じてＳＩＲを測定するとともに、このＳＩＲ（以下、測定ＳＩＲという）を目標ＳＩＲに対して評価してその評価を、後述する如く、ＤＰＣＣＨ設定部８０に出力する。
【００３１】
但し、測定ＳＩＲは、上述の如く、上記パイロットシンボル（受信信号）における希望波信号電力と干渉波信号電力との信号電力比である。希望波信号電力としては、所定期間におけるパイロットシンボルの実部、虚部の平均の二乗和として求められ、干渉波電力としては、所定期間におけるパイロットシンボルの実部、虚部の平均値とパイロットシンボルの実部、虚部との分散として求められる。
【００３２】
また、ＤＰＣＣＨ設定部８０は、ＳＩＲ評価部６０の評価に応じて、上りの個別物理制御チャネル（ＵＬ  ＤＰＣＣＨ）のＴＰＣデータに制御情報を設定する。すなわち、ＤＰＣＣＨ設定部８０は、ＳＩＲ評価部６０とともに、インナーループ送信電力制御を行うことになる。
【００３３】
拡散部９０には、個別物理制御チャネル（ＵＬ  ＤＰＣＣＨ）が入力信号の実部Ｉとして入力されるとともに、個別物理データチャネル（ＵＬ  ＤＰＤＣＨ）が入力信号の虚部Ｑとして入力される。そして、拡散部９０は、入力信号Ｉ、Ｑをそれぞれ異なるチャネライゼイションコードでスペクトル拡散し、その拡散された信号をスクランブルコードでスペクトル拡散するとともに、そのスクランブルコードで拡散された信号を直交変調する。また、送信系ＲＦ部１００は、拡散部９０からの出力を周波数変調して送信アンテナ１１０から電波を媒体として出力させる。
【００３４】
なお、上りの個別物理データチャネル（ＤＰＤＣＨ）は、送話データ（或いは、通信データ）をエンコード７１、レートマッチング７２、インターリーブ７３、及び、チャネルコーディング７４等によって処理されたものである。
【００３５】
以下、本実施形態の作動において図２〜図５を参照して説明する。図２、図３は、アウターループ送信電力制御部５０の作動を示すフローチャートである。図４は、インナーループ送信電力制御及びアウターループ送信電力制御を説明するための図で、図５は、アウターループ送信電力制御を説明するための図である。
【００３６】
先ず、アウターループ送信電力制御部５０は、基地局からの目標誤り率を受けると（図４中、矢印４００に示す）、アウターループ送信電力制御の処理を開始するとともに、上記目標誤り率に対応する目標ＳＩＲの初期値をＳＩＲ評価部６０に出力する。このため、ＳＩＲ評価部６０は、目標ＳＩＲの初期値を受け、インナーループ送信電力制御の処理を開始するため、インナーループ送信電力制御は、アウターループ送信電力制御と並列的に実行される。
【００３７】
ＳＩＲ評価部６０においては、目標ＳＩＲの方が測定ＳＩＲに比べて大きいとき、上りの個別物理制御チャネルのＴＰＣデータをセットする。すると、基地局は、上りの個別物理制御チャネルを受け、下りの個別物理制御チャネルの送信電力を「１ｄｂ」上げる。その後、目標ＳＩＲの方が測定ＳＩＲに比べて小さくなると、ＳＩＲ評価部６０は、ＴＰＣデータをリセットするため、基地局は、上りの個別物理制御チャネルを受け、下りの個別物理制御チャネルの送信電力を「１ｄｂ」下げる。従って、測定ＳＩＲが目標値ＳＩＲに近づくようにすることにより、下りの個別物理制御チャネルの送信電力が適正に保たれる。
【００３８】
ここで、アウターループ送信電力制御部５０は、図２、図３に示すフローチャートに従って、アウターループ送信電力制御の処理を実行する。例えば、目標誤り率として「１／１０７１５」が基地局から指示されたとき、「１０７１５」は、受信データブロックの目標誤り率の母数となる。この母数は、目標誤り率の逆数となる。
【００３９】
先ず、ステップ２００にて、受信期間Ｔ：６４０ｍｓをＴｍｉｎとして設定すると（Ｔｍｉｎ＝６４０ｍｓ）、ステップ２１０に進んで、６４０ｍｓ経過したか否かを判定する。そして、６４０ｍｓ経過したとき、６４０ｍｓの間にて受信された受信データブロックの受信数：Ｎａｌｌを求めるとともに、これら受信データブロックのうちのエラーブロックの数：Ｎｅｒｒを算出する（ステップ２２０）。但し、Ｔｍｉｎ（６４０ｍｓ）としては、目標誤り率の母数「１０７１５」未満の受信データブロックが受信されるように選択されている。
【００４０】
次に、受信データブロックの数：Ｎａｌｌを数式１に代入して判定エラー数：Ｎを算出する（ステップ２３０）
【００４１】
【数１】
Ｎ＝｛（Ｎａｌｌ）／（１／ｔａｒｇｅｔ  ＢＬＥＲ）｝＋１
この判定エラー数：Ｎは、上記母数分の受信データブロックの受信に先だって、エラーブロックの数：Ｎｅｒｒを用いて測定誤り率と目標誤り率とを比較する為の閾値であって、目標誤り率と受信データブロックの受信数：Ｎａｌｌとに応じて変わる。この判定エラー数：Ｎは、小数点以下を切り捨てた整数となる。例えば、目標誤り率として「１／１０７１５」が基地局から指示されたときには、判定エラー数：Ｎ＝「１」となる。
【００４２】
次に、エラーブロックの数：Ｎｅｒｒと判定エラー数：Ｎとを比較して（ステップ２４０）、エラーブロックの数：Ｎｅｒｒの方が判定エラー数：Ｎに比べて大きいとき（Ｎｅｒｒ≧Ｎ）、ステップ２５０に進んで、回線品質（送信電力）を上げるように目標ＳＩＲを更新する。すなわち、目標ＳＩＲの値を「ａ」ｄｂだけ上げてＳＩＲ評価部６０に設定する。例えば、「ａ」として、「１」が採用される。その後、ステップ２６０にて、６４０ｍｓをＴｍｉｎとして設定してステップ２１０に進むため、その後、目標ＳＩＲの更新後、新に、受信された受信データブロックに基づいて目標ＳＩＲを更新する。
【００４３】
次に、ステップ２４０にて、エラーブロックの数：Ｎｅｒｒの方が判定エラー数：Ｎに比べて小さいとき（Ｎｅｒｒ＜Ｎ）、ステップ２７０に進んで、判定エラー数：Ｎと安定度判定値：Ｍ（例えば、Ｍ＝１０）とを比較する。例えば、受信データブロックの目標誤り率の母数を「１０７１５」として、安定度判定値：Ｍを「１０」とすると、判定エラー数：Ｎの方が、安定度判定値：Ｍに比べて大きくなるには、受信データブロックの受信数：Ｎａｌｌが「１０７１５０」以上（図５に示す例では、Ｎａｌｌ＝「１０７２００」と示す）であることが必要である。
【００４４】
次に、ステップ２７０にて、判定エラー数：Ｎの方が、安定度判定値：Ｍに比べて大きいとき、ステップ２８０に進み、目標誤り率（ｔａｒｇｅｔ  ＢＬＥＲ）と測定誤り率：ＢＬＥＲとを数式２に代入し比率差：ΔＢＬＥＲを求める。
【００４５】
【数式２】
ΔＢＬＥＲ＝ｌｏｇ10（ｔａｒｇｅｔ  ＢＬＥＲ）−ｌｏｇ10（ＢＬＥＲ）
次に、ステップ２９０にて、比率差：ΔＢＬＥＲの方が設定値｛例えば、「１」ｄｂ｝に比べて大きいか否かを判定し、比率差：ΔＢＬＥＲの方が設定値に比べて大きいとき、ステップ３００に進んで、回線品質（送信電力）を下げるように目標ＳＩＲを更新する。すなわち、目標ＳＩＲの値を（比率差：ΔＢＬＥＲ）×（ｂ）「ｄｂ」だけ下げてＳＩＲ評価部６０に設定する。例えば、「ｂ」として、「１」が採用されている。その後、ステップ３１０にて、６４０ｍｓをＴｍｉｎとして設定してステップ２１０に進むため、その後、目標ＳＩＲの更新後に、新に、受信された受信データブロックに基づいて目標ＳＩＲを更新する。
【００４６】
ここで、回線品質（送信電力）を下げるように目標ＳＩＲを更新するには、信頼性のある判定が必要である。そこで、安定度判定値：Ｍは、受信データブロックの受信数：Ｎａｌｌが信頼性の有る値（例えば、母数以上の数）か否かを判定する閾値の役割を果たす。
【００４７】
次に、ステップ２９０にて、比率差：ΔＢＬＥＲの方が「１ｄｂ」に比べて小さいとき、ステップ３２０に進んで、目標ＳＩＲの更新を禁止し、受信期間ＴをＴｍｉｎづつ継続して、再び、ステップ２５０（或いは、ステップ３００）に進むと、目標ＳＩＲの更新を、先だって受信された受信データブロックに基づいて行う。
【００４８】
すなわち、再度、ステップ２１０に進んで、６４０ｍｓ経過したか否かを判定する。そして、６４０ｍｓ経過したとき、ステップ２２０に進む。この６４０ｍｓの間にて受信された受信データブロックの受信数を求め、この求められた受信数を、先回の受信データブロックの受信数に累積して受信数（累積受信数）：Ｎａｌｌを求めるともに、この受信数：Ｎａｌｌの受信データブロックのうちのエラーブロックの数（累積エラー数）：Ｎｅｒｒを算出する。
【００４９】
その後、ステップ２３０〜２６０の処理が上述と同様に成され、ステップ２１０に進むと、６４０ｍｓ経過したか否かを判定する。この６４０ｍｓ経過したとき、ステップ２２０に進む。この６４０ｍｓの間にて受信された受信データブロックの数を受信数Ｎａｌｌとして求めるともに、この受信数：Ｎａｌｌの受信データブロックのうちのエラーブロックの数：Ｎｅｒｒを算出する。
【００５０】
また、ステップ２３０〜２６０の処理が成されるのではなく、ステップ２３０〜３１０の処理が成され、ステップ２１０に進むと、６４０ｍｓ経過したか否かを判定する。この６４０ｍｓ経過したとき、ステップ２２０に進む。この６４０ｍｓの間にて受信された受信データブロックの数を受信数Ｎａｌｌとして求めるともに、この受信数：Ｎａｌｌの受信データブロックのうちのエラーブロックの数：Ｎｅｒｒを算出する。
【００５１】
以上のように、一旦、目標ＳＩＲの値を設定すると、その後、６４０ｍｓ間の受信数Ｎａｌｌとエラーブロックの数：Ｎｅｒｒとを求め、この求められた受信数Ｎａｌｌとエラーブロックの数：Ｎｅｒｒとによってステップ２３０〜３２０の処理を行う。
【００５２】
例えば、図５に示す例では、受信データブロックの受信開始後、複数回ステップ２９０、ステップ３２０に進むことにより、受信開始後の受信データブロックの受信数Ｎａｌｌ：が「１０７２００」になったとき、スッテプ３００に進むと、１０７２００個の受信データブロックに基づいて目標ＳＩＲの更新が行われることになる。
【００５３】
以下、本実施形態の特徴につき述べる。受信データブロックを母数（例えば、１０７１５個）分受信することに先だって、エラーブロックの数：Ｎｅｒｒの方が判定エラー数：Ｎに比べて大きいとき、目標電力比を更新するため、データブロックを母数分受信してから目標電力比を更新する場合に比べて、短期間で目標電力比を更新できる。
【００５４】
なお、本発明の実施にあたり、移動局としては、携帯電話に限らず、自動車電話等の無線通信装置を適用してもよい。さらに、本発明の実施にあたり、Ｍ、ａ、ｂは何れの値を採用してもよい。
【図面の簡単な説明】
【図１】本発明に係る一実施形態の移動局の電気回路構成を示すブロック図である。
【図２】図１に示すアウターループ送信電力制御部の作動の一部を示すフローチャートである。
【図３】図１に示すアウターループ送信電力制御部の作動の残りを示すフローチャートである。
【図４】上記一実施形態に係るインナーループ送信電力制御及びアウターループ送信電力制御を説明するための図である。
【図５】上記一実施形態のアウターループ送信電力制御を説明するための図である。
【図６】基地局及び移動局間の個別物理チャネルを説明するための図である。
【図７】個別物理制御チャネルのフォーマットを示す図である。
【図８】目標誤り率を示す図表である。
【符号の説明】
５０…アウターループ送信電力制御部。
【図１】
0003791345.tif 000002
【図２】
0003791345.tif 000003
【図３】
0003791345.tif 000004
【図４】
0003791345.tif 000005
【図５】
0003791345.tif 000006
【図６】
0003791345.tif 000007
【図７】
0003791345.tif 000008
【図８】
0003791345.tif 000009